(57)【特許請求の範囲】
【請求項１】
長手方向、幅方向及び厚さ方向を有しており、複数の資材から構成される吸収性物品であって、
前記複数の資材のうちの少なくとも一つが有する機能を使用者が視認可能なように、前記機能を有する部分又は前記機能を有する部分に対応する部分に、錯視図形が描画された錯視部を有し、
前記長手方向の後方に位置し、前記長手方向に伸長する後方部分を含み、
前記複数の資材の少なくとも一つにおける前記後方部分に対応する部分は、前記錯視部を含み、
前記錯視図形は、前記後方部分が前記長手方向に伸長する機能を使用者が視認可能なように前記錯視部に描画されている、
吸収性物品。
【請求項２】
前記錯視図形は、前記後方部分が前記長手方向に伸長するように視認可能な、フレーザー・ウィルコックス錯視図形を含む、
請求項１に記載の吸収性物品。
【請求項３】
前記錯視図形は、前記後方部分が前記長手方向に伸長するように視認可能な、幾何学的錯視の傾き錯視図形を含む、
請求項１又は２に記載の吸収性物品。
【請求項４】
前記錯視図形は、前記後方部分が前記長手方向に伸長するように視認可能な、遠近法で形成された図形を含む、
請求項１乃至３のいずれか一項に記載の吸収性物品。
【請求項５】
前記錯視図形は、少なくとも一種類のパターン要素が前記幅方向に並んで構成されるパターンを、前記長手方向に沿って複数個備え、
前記複数個のパターンは、前記長手方向に沿って徐々に変形する、
請求項１乃至４のいずれか一項に記載の吸収性物品。
【請求項６】
前記複数個のパターンの大きさは、前記長手方向に沿って、徐々に大きく又は小さくなる、
請求項５に記載の吸収性物品。
【請求項７】
前記複数個のパターンの前記幅方向又は前記長手方向の寸法は、前記長手方向に沿って、徐々に大きく又は小さくなる、
請求項５又は６に記載の吸収性物品。
【請求項８】
前記複数個のパターンの間の前記長手方向の間隔は、前記長手方向に沿って、徐々に広く又は狭くなる、
請求項５乃至７のいずれか一項に記載の吸収性物品。
【請求項９】
前記複数個のパターンは、前記長手方向及び／又は前記幅方向に沿って波状又はバネ状に並んでいる、
請求項５乃至８のいずれか一項に記載の吸収性物品。
【請求項１０】
前記複数の資材は、表面シート、裏面シート、前記表面シートと前記裏面シートとの間に位置する吸収体と、前記表面シートと前期吸収体との間に位置する補助シートとを含み、
前記錯視部は前記補助シートに設けられ、前記錯視図形は前記補助シートの前記吸収体側の表面に描画される、
請求項１乃至９のいずれか一項に記載の吸収性物品。
【請求項１１】
前記複数の資材は、表面シート、裏面シート、前記表面シートと前記裏面シートとの間に位置する吸収体とを含み、
前記錯視部は前記表面シートに設けられ、前記錯視図形は前記表面シートの肌側の表面に描画される、
請求項１乃至９のいずれか一項に記載の吸収性物品。
【請求項１２】
前記複数の資材は、表面シート、裏面シート、前記表面シートと前記裏面シートとの間に位置する吸収体とを含み、
前記錯視部は前記裏面シートに設けられ、前記錯視図形は前記裏面シートの非肌側の表面に描画される、
請求項１乃至９のいずれか一項に記載の吸収性物品。
【発明の詳細な説明】
【技術分野】
【０００１】  本発明は吸収性物品に関する。
【背景技術】
【０００２】  生理用ナプキンや失禁パッドのような吸収性物品が知られている。吸収性物品は下着に装着されて使用されるが、適切に装着されないと、排泄液等が吸収性物品に十分に吸収されず、外部に漏れるなどの不具合が生じるおそれがある。吸収性物品を適切に装着するためには、例えば吸収性物品に装着用の標識を付与する方法が考えられる。吸収性物品に標識を付与する方法としては、特許文献１が挙げられる。特許文献１の吸収性物品は、身体に面する表面、第１末端部領域及び第２末端部領域を有する婦人衛生物品であって、湾曲した脚開口部の部分によって両側が境界付けられるクロッチ部分を有する下着に設置される。婦人衛生物品は、身体に面する表面から目視できる少なくとも１つの機能強化標識を含む。機能強化標識は、婦人衛生物品の少なくとも１つの機能強化された部分に対応する。特許文献１によれば、機能強化標識により、使用者は物品の機能強化された部分を知ることができ、物品を下着内に適切に設置できる、とされている。
【先行技術文献】
【特許文献】
【０００３】
【特許文献１】特表２００８−５２２６７１号公報
【発明の概要】
【発明が解決しようとする課題】
【０００４】  特許文献１では、機能強化標識は、ユーザーが知覚できる標示又は信号であり、具体的には線、線分、曲線、バンド、矢印、言葉、絵、印、ドット、斑点、陰影、縞模様、花弁、太陽光線、波のような抽象的な標識が挙げられている。それらの標識は、機能強化された部分の位置や吸収性物品の向きを示すとされているが、実際には強化された機能の内容そのものを想起させるものではなく、吸収性物品の向きを具体的に示すものでもない。そのため、何ら説明の無い状態で、それらの標識を見るだけでは、その標識が何を示しているのか理解し難く、よって機能の強化を示すのか、吸収性物品の向きを示すのかも分かり難い。仮に、機能の強化を示すと分かったとしても、どのような機能を強化しているのかが理解し難い。また、仮に、吸収性物品の向きを示すと分かったとしても、標識が有る方が前部なのか後部なのかが理解し難い。その結果、使用者は機能強化標識の意図を適切に把握することができないおそれがある。そうなると、使用者は、試行錯誤を繰り返さないと、吸収性物品を適切に取り扱うことができず、適切に装着できないおそれがある。【０００５】  本発明の目的は、吸収性物品に付与された機能を適切に理解でき、吸収性物品を適切に装着することが可能な吸収性物品を提供することにある。
【課題を解決するための手段】
【０００６】  本発明の吸収体の製造方法は次のとおりである。  （１）複数の資材から構成される吸収性物品であって、前記複数の資材のうちの少なくとも一つが有する機能を使用者が視認可能なように、前記機能を有する部分又は前記機能を有する部分に対応する部分に、錯視図形が描画された錯視部を有する、吸収性物品。【０００７】  本吸収性物品には、複数の資材のうちの少なくとも一つが有する機能を使用者が視認可能なように錯視図形が描画されている。そのため、使用者は、錯視図形を一目見るだけで、何ら説明の無い状態でも、錯視部又は錯視部に対応する部分が当該機能を有することを容易に想起でき、理解できる。それにより、その機能に基づいて、試行錯誤をせずとも、吸収性物品を適切に取り扱うことができ、適切に装着することが可能となる。【０００８】  本発明の吸収性物品は、（２）前記吸収性物品は、長手方向、幅方向及び厚さ方向を有しており、前記長手方向の後方に位置し、前記長手方向に伸長する後方部分を含み、前記複数の資材の少なくとも一つにおける前記後方部分に対応する部分は、前記錯視部を含み、前記錯視図形は、前記後方部分が前記長手方向に伸長する機能を使用者が視認可能なように前記錯視部に描画されている、上記（１）に記載の吸収性物品、であってもよい。  本吸収性物品は、長手方向に伸長する後方部分を含んでおり、すなわち後方部分が長手方向に伸長するという機能を有している。本機能は、装着者の両足の動きと後方部分とを連動させ動かし易くして、吸収性物品の装着性を高めるためのものである。この場合、吸収性物品を下着に装着するとき、後方部分を不用意に後方に引っ張ると、後方部分が伸びてしまい、想定されているよりも伸びた状態で吸収性物品が下着に装着されたり、吸収性物品が下着からずれて装着されたりするおそれがある。そうなると、吸収性物品は、当初想定されていた装着位置からずれてしまい、上記の機能を発揮できないおそれがある。そこで、本吸収性物品では、錯視部を後方部分に配置し、すなわち後方部分に錯視図形を描画している。その錯視図形は、後方部分が長手方向に伸長するように視認可能な錯視図形を含んでいる。そのため、使用者は、後方部分が伸長する機能を有することを直感的に認識できる。それにより、その機能に基づいて、試行錯誤をせずとも、後方部分を伸長させないように取り扱いながら吸収性物品を装着すること、すなわち吸収性物品を適切に装着することが可能となる。【０００９】  本発明の吸収性物品は、（３）前記錯視図形は、前記後方部分が前記長手方向に伸長するように視認可能な、フレーザー・ウィルコックス錯視図形を含む、上記（２）に記載の吸収性物品、であってもよい。  本吸収性物品では、フレーザー・ウィルコックス錯視図形、すなわち長手方向に沿って、輝度の異なる色を繰り返し配置する図形を錯視図形として用いることで、吸収性物品の後方部分が長手方向に動いているように、すなわち伸縮するように見える。そのため、使用者は、伸びる機能を容易に想起でき、及び、その機能を有する後方部分を容易に把握することができる。それにより、その機能に基づいて、試行錯誤をせずとも、後方部分を伸長させないようにしながら吸収性物品を装着する���と、すなわち吸収性物品を適切に装着することが可能となる。それに加えて、使用者が使用前に吸収性物品を伸長させなくても、伸縮性に特に優れた（すなわち装着感に優れた）高品質の吸収性物品であるとの期待感を使用者に醸成させることができる。【００１０】  本発明の吸収性物品は、（４）前記錯視図形は、前記後方部分が前記長手方向に伸長するように視認可能な、幾何学的錯視の傾き錯視図形を含む、上記（２）又は（３）に記載の吸収性物品、であってもよい。  本吸収性物品では、幾何学的錯視の傾き錯視図形、すなわち長手方向に沿って、傾きの異なる図形を組み合わせて配置する図形を錯視図形として用いることで、吸収性物品の後方部分が長手方向に動いているように、すなわち伸縮するように見える。そのため、使用者は、伸びる機能を容易に想起でき、及び、その機能を有する後方部分を容易に把握できる。【００１１】  本発明の吸収性物品は、（５）前記錯視図形は、前記後方部分が前記長手方向に伸長するように視認可能な、遠近法で形成された図形を含む、上記（２）乃至（４）のいずれか一項に記載の吸収性物品、であってもよい。  本吸収性物品では、二次元の図形が三次元の図形に見える錯覚を起こす遠近法で形成された図形を錯覚図形として用いることで、奥に見える要素と手前に見える要素が混在することにより吸収性物品の後方部分が伸長するように見える。そのため、使用者は、伸びる機能を容易に想起でき、及び、その機能を有する後方部分を容易に把握できる。【００１２】  本発明の吸収性物品は、（６）前記錯視図形は、少なくとも一種類のパターン要素が前記幅方向に並んで構成されるパターンを、前記長手方向に沿って複数個備え、前記複数個のパターンは、前記長手方向に沿って徐々に変形する、上記（２）乃至（５）のいずれか一項に記載の吸収性物品、であってもよい。  本吸収性物品では、少なくとも一種類のパターン要素が幅方向に並んで構成されるパターンを長手方向に沿って複数個備えており、かつ、前記複数個のパターンが前記長手方向に沿って徐々に変形することで、吸収性物品の後方部分が伸長するように見える。そのため、使用者は、伸びる機能を容易に想起でき、及び、その機能を有する後方部分を容易に把握できる。【００１３】  本発明の吸収性物品は、（７）前記複数個のパターンの大きさは、前記長手方向に沿って、徐々に大きく又は小さくなる、上記（６）に記載の吸収性物品、であってもよい。  本吸収性物品では、複数個のパターンの大きさが、長手方向に沿って徐々に大きく又は小さくなるように形成された図形を錯覚図形として用いることで、吸収性物品の後方部分が伸縮するように見える。そのため、使用者は、伸びる機能を容易に想起でき、及び、その機能を有する後方部分を容易に把握できる。【００１４】  本発明の吸収性物品は、（８）前記複数個のパターンの前記幅方向又は前記長手方向の寸法は、前記長手方向に沿って、徐々に大きく又は小さくなる、上記（６）又は（７）に記載の吸収性物品、であってもよい。  本吸収性物品では、複数個のパターンの幅方向又は長手方向の寸法が、長手方向に沿って徐々に大きく又は小さくなるように形成された図形を錯覚図形として用いることで、吸収性物品の後方��分が伸長するように見える。そのため、使用者は、伸びる機能を容易に想起でき、及び、その機能を有する後方部分を容易に把握できる。【００１５】  本発明の吸収性物品は、（９）前記複数個のパターンの間の前記長手方向の間隔は、前記長手方向に沿って、徐々に広く又は狭くなる、上記（６）乃至（８）のいずれか一項に記載の吸収性物品、であってもよい。  本吸収性物品では、複数個のパターン間の長手方向の寸法間隔が長手方向に沿って徐々に広く又は狭くなるように形成された図形を錯覚図形として用いることで、吸収性物品の後方部分が伸長するように見える。そのため、使用者は、伸びる機能を容易に想起でき、及び、その機能を有する後方部分を容易に把握できる。【００１６】  本発明の吸収性物品は、（１０）前記複数個のパターンは、前記長手方向及び／又は前記幅方向に沿って波状又はバネ状に並んでいる、上記（６）乃至（９）のいずれか一項に記載の吸収性物品、であってもよい。  本吸収性物品では、複数個のパターンが長手方向及び／又は幅方向に沿って波状又はバネ状に並んだ図形を錯覚図形として用いることで、吸収性物品の後方部分が伸長するように見える。そのため、使用者は、伸びる機能を容易に想起でき、及び、その機能を有する後方部分を容易に把握できる。【００１７】  本発明の吸収性物品は、（１１）前記複数の資材は、表面シート、裏面シート、前記表面シートと前記裏面シートとの間に位置する吸収体と、前記表面シートと前期吸収体との間に位置する補助シートとを含み、前記錯視部は前記補助シートに設けられ、前記錯視図形は前記補助シートの前記吸収体側の表面に描画される、上記（２）乃至（１０）のいずれか一項に記載の吸収性物品、であってもよい。  本吸収性物品では、錯視図形が補助シートの吸収体側の表面に描画されるので、使用者は、表面シート側から、すなわち吸収性物品を装着するときに見易い肌側から錯視図形を確認することができる。そのため、使用者は、伸び縮みする機能を容易に想起でき、及び、その機能を有する後方部分を容易に把握できる。また、一般に表面シートよりも繊維密度が高い補助シートに錯視図形を描画できるので、錯視図形をより明確に描くことができ、使用者に分かり易く視認させることができる。【００１８】  本発明の吸収性物品は、（１２）前記複数の資材は、表面シート、裏面シート、前記表面シートと前記裏面シートとの間に位置する吸収体とを含み、前記錯視部は前記表面シートに設けられ、前記錯視図形は前記表面シートの肌側の表面に描画される、上記（２）乃至（１０）のいずれか一項に記載の吸収性物品、であってもよい。  本吸収性物品では、錯視図形が表面シートの肌側の表面に描画されるので、使用者は、表面シート側から、すなわち吸収性物品を装着するときに見易い肌側から錯視図形を直接に確認できる。そのため、使用者は、伸び縮みする機能をより容易に想起でき、及び、その機能を有する後方部分をより容易に把握できる。【００１９】  本発明の吸収性物品は、（１３）前記複数の資材は、表面シート、裏面シート、前記表面シートと前記裏面シートとの間に位置する吸収体とを含み、前記錯視部は前記裏面シートに設けられ、前記錯視図形は前記裏面シートの非肌側��表面に描画される、上記（２）乃至（１０）のいずれか一項に記載の吸収性物品、であってもよい。  本吸収性物品では、錯視図形が裏面シートの非肌側の表面に描画されるので、使用者は、裏面シート側から錯視図形を直接に確認できる。そのため、使用者は、包装状態の裏面シートが表側に向いている状態においても、伸び縮みする機能を容易に想起でき、及び、その機能を有する後方部分を容易に把握できる。
【発明の効果】
【００２０】  本発明によれば、吸収性物品に描画された図形を見ただけで、その図形を付された部分が有する機能を適切に理解でき、吸収性物品を適切に装着することが可能な吸収性物品を提供できる。
【図面の簡単な説明】
【００２１】
【図１】実施の形態に係る吸収性物品を示す図である。
【図２】実施の形態に係る吸収性物品を示す図である。
【図３】実施の形態に係る吸収性物品の錯視図形を示す図である。
【図４】実施の形態に係る吸収性物品の錯視図形を示す図である。
【図５】実施の形態に係る吸収性物品の錯視図形を示す図である。
【図６】実施の形態に係る吸収性物品の錯視図形を示す図である。
【図７】実施の形態に係る吸収性物品の錯視図形を示す図である。
【図８】実施の形態に係る吸収性物品の錯視図形を示す図である。
【図９】実施の形態に係る吸収性物品の錯視図形を示す図である。
【図１０】実施の形態に係る吸収性物品の錯視図形を示す図である。
【図１１】実施の形態に係る吸収性物品の錯視図形を示す図である。
【図１２】実施の形態に係る吸収性物品の錯視図形を示す図である。
【図１３】実施の形態に係る吸収性物品の錯視図形を示す図である。
【図１４】他の実施の形態に係る吸収性物品の錯視図形を示す図である。
【発明を実施するための形態】
【００２２】  本実施の形態に係る吸収性物品及び吸収体について生理用ナプキンを例に図面を参照して説明する。ただし吸収性物品の種類及び用途としては特に限定されるものではなく、例えばパンティライナー、軽失禁パッドが挙げられる。その吸収性物品が吸収対象とする液体は特に限定されるものではなく、例えば使用者の液状排泄物、体液等が挙げられる。
【００２３】  まず、本実施の形態に係る吸収性物品について説明する。図１及び図２は吸収性物品２を示す図であり、吸収性物品２を展開した状態での頂面図及び分解斜視図をそれぞれ示す。ただし、後述されるように本実施の形態の吸収性物品２には錯視図形が描画されているが、図１及び図２ではその記載を省略している。吸収性物品２は、互いに直交する長手方向Ｌ、幅方向Ｗ及び厚さ方向Ｔを有し、長手方向Ｌに延びる本体部２ａと、長手方向Ｌの略中央部に幅方向Ｗの両側に延出する一対のフラップ部２ｂ、２ｂとを備える。吸収性物品２は、幅方向Ｗの中心を通り長手方向Ｌに延びる長手方向中心線ＣＬと、一対のフラップ部２ｂ、２ｂの長手方向Ｌの中心を通り幅方向Ｗに延びる幅方向中心線ＣＷを有する。図１において向って上方が吸収性物品２の前方であり、向って下方が吸収性物品２の後方である。吸収性物品２の長手方向Ｌ、幅方向Ｗ及び厚さ方向Ｔと後述される吸収性物品２の各資材の長手方向、幅方向及び厚さ方向とは一致するので、吸収性物品２及びその各資材に共通に長手方向Ｌ、幅方向Ｗ及び厚さ方向Ｔを用いる。「平面視」とは展開した状態の吸収性物品２を上面側から厚さ方向Ｔに見ることをいう。「肌側」及び「非肌側」とは、吸収性物品２の使用者による吸収性物品２の装着時、厚さ方向Ｔにて相対的に使用者の肌面に近い側及び遠い側をそれぞれ意味する。長手方向中心線ＣＬに向かう方向及び遠ざかる方向をそれぞれ幅方向Ｗの内側及び外側の方向とする。幅方向中心線ＣＷに向かう方向及び遠ざかる方向をそれぞれ長手方向Ｌの内側及び外側の方向とする。これらの定義も吸収性物品２の各資材に共通に用いる。
【００２４】  本体部２ａは角丸長方形、縦長の楕円形又は小判形の形状を有し、本体部２ａの長手方向Ｌの両端縁部の外縁２Ｔ１、２Ｔ２は、略半円形又はお椀形の形状を有する。本体部２ａは、液透過性の表面シート４と、液不透過性の裏面シート５と、表面シート４と裏面シート５との間に配設された液吸収性及び液保持性の吸収体３と、を備える。表面シート４の非肌側の面と吸収体３の肌側の面とは接着剤等で接合され、吸収体３の非肌側の面と裏面シート５の肌側の面とは接着剤等で接合される。表面シート４の非肌側の面の縁と裏面シート５の肌側の面の縁とは接着剤で接合される。本体部２ａの表面シート４と吸収体３とが厚さ方向Ｔに重なる領域には、長手方向Ｌの中央やや前方寄りで幅方向Ｗの中央に、装着時に排泄口に当接する領域、すなわち排泄口当接域ＳＴＡが設定される。フラップ部２ｂは、半円形又は半楕円形の形状を有し、長手方向Ｌにおいて、一対のフラップ部２ｂ、２ｂの両端部（付け根）及び中央部の位置が排泄口当接域ＳＴＡの両端部及び中央部の位置とほぼ重なるように形成される。本体部２ａには、排泄口当接域ＳＴＡ内及びその周囲に、表面シート４と吸収体３とを表面シート４側から圧搾して形成される圧搾部２６が形成される（図２では吸収体３の圧搾部２６の記載を省略する）。本実施の形態では、排泄口当接域ＳＴＡ上にドット状の中央圧搾部２６ａが形成され、排泄口当接域ＳＴＡの幅方向Ｗの両側に溝状の側部圧搾部２６ｂ、２６ｂが形成され、排泄口当接域ＳＴＡの前方及び後方にそれぞれ溝状の前部圧搾部２６ｃ及び後部圧搾部２６ｄが形成される。吸収性物品２の本体部２ａ及び一対のフラップ部２ｂ、２ｂは、吸収性物品２を着衣に固定するための複数の固定部（図示されず）を、裏面シート５の肌面側に備える。固定部は剥離シートで被覆される。
【００２５】  本実施の形態の吸収性物品２は、上記のように複数の資材、すなわち表面シート４、吸収体３及び裏面シート５から構成されており、更に排泄液漏えい防止用の防漏壁（図示されず）や排泄液拡散用の補助シート（図示されず）のような吸収性物品２において公知の資材を含んでもよい。
【００２６】  本実施の形態の吸収性物品２は、上記の複数の資材の少なくとも一つが何らかの機能を有しており、その機能を有する部分又はその機能を有する部分に対応する部分に、錯視図形が描画された錯視部を備えている。ただし、錯視とは、視覚に関する錯覚のことであり、面・線・点やそれらの集合から成る形において、大きさ・長さ・方向などが客観的なそれらとは違った見え方を生ずる現象であり、錯視図形とは錯視を生じる図形である。本実施の形態では騙し絵（トロンプ・ルイユ：Ｔｒｏｍｐｅ−ｌ’ｏｅｉｌ）を含む。このように吸収性物品２が錯視図形を有することにより、使用者は、何ら説明の無い状態でも、錯視図形を一目見るだけで、吸収性物品２がその機能を有することを容易に想起でき、理解できる。すなわち、使用者は、その錯視図形で生じる錯覚により、その機能の内容を視認でき、錯視図形が描画されている位置により、その機能を有する部分の位置を視認できる。このように使用者は、錯視図形からその機能及び位置を視認できるので、試行錯誤をせずとも吸収性物品２を適切に取り扱うことができ、適切に装着することが可能となる。ここで、錯視図形による機能の視認とは、人が錯視図形を視覚で捉え、捉えた錯視図形を、大きさ・長さ・方向・動きなどが客観的なそれらとは違うように把握することにより、把握された内容を生じる機能がそこに存在するかのように認識することをいう。例えば、長手方向Ｌに動くように見える錯視図形が吸収性物品の所定部分に描画されている場合、人が錯視図形を視覚で捉え、捉えたその錯視図形を長手方向Ｌに動くと把握することにより、長手方向Ｌに動く機能がその所定部分に存在するように認識することをいう。
【００２７】  錯視としては、例えば、静止しているものが動いて見える動きの錯視（例示：フレーザー・ウィルコックス錯視、オオウチ錯視）、形や大きさや傾きに関する幾何学的錯視（例示：傾き錯視（Ｙ接合部の錯視））、無いものが見えてくる錯視（視覚的補完）、ものに奥行きがあるように見える錯視（立体視・空間視（遠近法）、クレーター錯視）、などが挙げられる。以下、吸収性物品２に付与される機能及び錯視部について説明する。
【００２８】  本実施の形態の吸収性物品２には伸長性という機能が付与されている。すなわち、吸収性物品２は、長手方向Ｌの後方の部分３０に伸長性を有する。言い換えると、吸収性物品２は、長手方向Ｌの伸長性が幅方向Ｗの伸長性よりも高い。ここでは、「伸長性」とは、ある物に引っ張り力が印加されたとき、その物の形状がその方向に伸びる性質をいう。この場合、引っ張り力が消失したとき、その物の形状がほぼ元の形状に戻ってもよいし、元の形状に近づくが元の形状に戻りきらなくてもよい。吸収性物品２には、長手方向Ｌの後方の部分３０に伸縮性という機能が付与されていてもよく、すなわち長手方向Ｌに伸縮性を有してもよい。「伸縮性」とは、ある物に引っ張り力が印加されたとき、その物の形状がその方向に伸び、引っ張り力が消失したとき、その物の形状が元の形状に戻る性質をいい、「弾性」ともいえる。ある物が「伸長性」や「伸縮性」を「有する」とは、その物の伸びの程度として引張伸度（破断伸度）が少なくとも３％以上であるものをいう。逆に、ある物が「伸長性」や「伸縮性」を「有さない」又は「ほとんど有さない」とは、その物の伸びの程度として引張伸度（破断伸度）が０％又は３％未満であるものをいう。引張伸度（破断伸度）の測定方法は、後述される繊維シートの引張伸度の試験で測定する。
【００２９】  本実施の形態では、表面シート４は、幅方向中心線ＣＷを境界として、前方の部分４ａと後方の部分４ｂとを有する。後方の部分４ｂは長手方向Ｌに伸長性を有し、前方の部分４ａは長手方向Ｌに伸長性をほとんど有さない。したがって、表面シート４は、後方の部分４ｂに長手方向Ｌの伸長性という機能を有する。後方の部分４ｂは伸長性に加えて、伸縮性又は弾性を有してもよい。伸長性を付与する方法としては例えばギア延伸処理が挙げられ、その場合には伸縮性も付与できる。本実施の形態では、表面シート４は、後方の部分４ｂにおいて伸縮性を有する。
【００３０】  本実施の形態では、裏面シート５は、幅方向中心線ＣＷを境界として、前方の部分５ａと後方の部分５ｂとを有する。後方の部分５ｂは長手方向Ｌに伸長性を有し、前方の部分５ａは長手方向Ｌに伸長性をほとんど有さない。したがって、裏面シート５は、後方の部分５ｂに長手方向Ｌの伸長性という機能を有する。後方の部分５ｂは伸長性に加えて、伸縮性又は弾性を有してもよい。伸長性を付与する方法としては例えばギア延伸処理が挙げられ、その場合には伸縮性も付与できる。本実施の形態では、裏面シート５は、後方の部分５ｂにおいて伸縮性を有する。
【００３１】  本実施の形態では、吸収体３は、吸収体本体部３ｍを備え、更に好ましい形態として吸収体本体部３ｍにおける裏面シート５側の面に接合されたキャリアシート３ｎを備える。吸収体本体部３ｍは、幅方向中心線ＣＷを境界として、前方の部分３ｍａと後方の部分３ｍｂとを有する。後方の部分３ｍｂは長手方向Ｌに伸長性を有し、前方の部分３ｍａは長手方向Ｌに伸長性をほとんど有さない。したがって、吸収体本体部３ｍは、後方の部分３ｍｂに長手方向Ｌの伸長性という機能を有する。伸長性を付与する方法としては、吸収体本体部３ｍの後方の部分３ｍｂに複数の切れ目３Ｓを形成する方法が挙げられる。複数の切れ目３Ｓとしては、例えば略幅方向Ｗに沿って延び、略長手方向Ｌに互いに間隔を空けて並んだ複数の切れ目が挙げられる。それにより、吸収体本体部３ｍが長手方向Ｌの後方に張力を印加されたとき、それら複数の切れ目３Ｓが長手方向Ｌに拡がることにより伸長性が発現される。切れ目３Ｓの形状としては、直線状（本実施の形態）や、波線状などが挙げられる。切れ目３Ｓの配置としては、後方の部分３ｍｂ内で個々の切れ目３Ｓを千鳥格子状に配置する方法や、仮想的な菱形状の小領域内に個々の切れ目３Ｓを千鳥格子状に配置し、かつ、その菱形状の小領域を後方の部分３ｍｂ内に千鳥格子状に配置する方法（本実施の形態）などが挙げられる。また、切れ目３Ｓとして、円形や楕円形の開口部のような隙間を有する形状でもよい。なお、表面シート４と吸収体３との間に液体の拡散を補助する補助シート（図示されず）を更に備える場合、補助シートは、吸収体本体部３ｍと同様の外形及び切れ目を有し、その切れ目により長手方向Ｌに伸長可能である。
【００３２】  本実施の形態では、キャリアシート３ｎは、幅方向中心線ＣＷを境界として、前方の部分３ｎａと後方の部分３ｎｂとを有する。後方の部分３ｎｂは長手方向Ｌに伸長性を有し、前方の部分３ｍａは長手方向Ｌに伸長性をほとんど有さない。したがって、キャリアシート３ｎは、後方の部分３ｎｂに長手方向Ｌの伸長性という機能を有する。後方の部分３ｎｂは伸長性に加え、伸縮性を有してもよい。伸長性を付与する方法としては例えば所定方向に伸長性を有する伸長性シートを後方の部分３ｎｂに用いる方法が挙げられ、所定方向に伸縮性を有するシートを用いる場合には伸縮性も付与できる。前方の部分３ｎａと後方の部分３ｎｂとは同一のシートの前方部分及び後方部分であってもよいし、伸長性（又は伸縮性）の異なる二種類のシートで形成されてもよい。本実施の形態では、前方の部分３ｎａには伸長性のないシートを用い、後方の部分３０ｎｂには伸縮性を有する伸縮性シートを用いて伸縮性を付与する。
【００３３】  したがって、吸収体３は、吸収体本体部３ｍとキャリアシート３ｎとが重なり合うことで、後方の部分（３ｍｂ＋３ｎｂ；排泄口当接域ＳＴＡを除く）にて伸長性を発現できる。特に、本実施の形態では、吸収体３は、キャリアシート３ｎが伸縮性を有することで、伸縮性を発現できる。吸収体本体部３ｍの後方の部分３ｍｂは複数の切れ目３Ｓだけで伸長性を発現するが、収縮性は必ずしも十分ではなく、よって伸縮性も十分ではない。そこで本実施の形態では、伸縮性を有するキャリアシート３ｎを吸収体本体部３ｍに貼り付けることで、吸収体３に伸縮性を付与している。キャリアシート３ｎは、吸収体本体部３ｍが伸長したときに、複数の切れ目３Ｓが部分的に切断されて、吸収体本体部３ｍが型崩れする、という事態を防止する機能も有する。
【００３４】  表面シート４、吸収体本体部３ｍ、キャリアシート３ｎ、裏面シート５、固定部及び剥離シートの材料としては、吸収性物品２で一般的に使用される公知の材料を用いることができる。例えば、表面シート４の材料としては、不織布、織布、液透過孔が形成された合成樹脂フィルム、これらの複合シートが挙げられる。不織布としては、例えば天然繊維、再生繊維、無機繊維、合成樹脂繊維等が挙げられる。吸収体本体部３ｍの材料としては、パルプ繊維、合成繊維、吸収性ポリマが挙げられる。補助シートの材料としては、不織布、パルプ繊維、合成繊維が挙げられる。キャリアシート３ｎとしては、一軸方向に伸縮性を備えた合成樹脂フィルムが挙げられる。特に、一軸方向には伸縮性を有するがその一軸方向に直交する他軸方向には伸縮性を有さない合成樹脂フィルムが好ましい。裏面シート５の材料としては、防水処理を施した不織布、合成樹脂フィルム、不織布と合成樹脂フィルムとの複合シート、ＳＭＳ不織布等が挙げられる。固定部の材料としては、スチレン−ブタジエン共重合体のような粘着剤を用いることができる。剥離シートの材料としては、紙や樹脂シートの基材にシリコーン樹脂系の剥離材を塗工したものが挙げられる。また、表面シート４、（補助シート、）吸収体本体部３ｍ、キャリアシート３ｎ及び裏面シート５の間の接合に用いられる接着剤は、吸収性物品２で一般的に使用される公知の材料を用いることができ、例えば熱可塑性接着剤を用いることができる。また、包装シートの材料としては、吸収性物品２を包装するために一般的に使用される公知の材料を用いることができる。例えば、樹脂フィルムや紙、不織布が挙げられる。
【００３５】  以上のように、本実施の形態では、吸収性物品２において、後方の部分４ｂ（排泄口当接域ＳＴＡを除く）に伸長性を有する表面シート４と、後方の部分５ｂに伸長性を有する裏面シート５と、後方の部分（３ｍｂ＋３ｎｂ；排泄口当接域ＳＴＡを除く）に伸縮性を有する吸収体３とが厚さ方向Ｔに重なり合っている。これらの資材が重なり合うことにより、吸収性物品２は、後方の部分３０において伸長性（本実施の形態では伸縮性）を有する。言い換えると、吸収性物品２は、（幅方向中心線ＣＷよりも）前方の部分及び排泄口当接域ＳＴＡにおいて伸長性を有さず、排泄口当接域ＳＴＡを除く（幅方向中心線ＣＷよりも）後方の部分３０において伸長性を有する。すなわち、一つの吸収性物品２の中で、概ね前方の部分と後方の部分３０とで伸長性を変えている。そのため、吸収性物品２を固定部により下着に固定したとき、吸収性物品２における前方の部分及び排泄口当接域ＳＴＡを下着装着者の身体に接触させた状態を維持させつつ、排泄口当接域ＳＴＡを除く後方の部分３０を身体の動きと共に伸長させることができる。具体的には、下着装着者が歩行したとき、両足の動きに伴い吸収性物品２にかかる荷重を、排泄口当接域ＳＴＡを除く後方の部分３０が伸長して変形することにより逃がしたり、吸収したりすることができる。そのとき、排泄口当接域ＳＴＡ及び前方の部分は伸長しないので、下着装着者の身体に安定して密着することができ、排泄口当接域ＳＴＡは排泄口（膣口）に安定して密着することができる。その理由は、前方の部分や排泄口当接域ＳＴＡが伸長性を有さないことにより、後方の部分３０のよじれなどの変形が前方の部分にはほとんど伝達されないからである。加えて、前方の部分は元々両足の動きの影響が少ないため身体に安定的に密着し易く、それゆえそのような前方の部分に伸長性を有さない部分を広く確保すことにより、後方の部分３０からの変形の伝達を阻止する能力を高くできるためである。このように、吸収性物品２では前方の部分と後方の部分３０とで下着装着者の動きに合せ、互いに異なる挙動をとることができ、それにより吸収性と装着性とを両立させることができる。なお上記機構は、各部材が伸長性ではなく伸縮性を有している場合にも同様に有効可能である。
【００３６】  このように、本実施の形態では、吸収性物品２は、吸収性物品２における幅方向中心線ＣＷの後方の部分３０に、長手方向Ｌの伸長性（本実施の形態では伸縮性）という機能が付与されている。
【００３７】  本実施の形態では、上記の吸収性物品２における、伸長性という機能が付与された後方の部分３０に、その機能を視認し易くするために錯視部４０が形成される。図３、図４は、吸収性物品２における錯視部４０の一例を示す図である。
【００３８】  本実施の形態では、吸収性物品２の後方の部分３０のうち、伸長がより顕著な部分、すなわち排泄口当接域ＳＴＡよりも長手方向Ｌの後方の部分３１において、錯視図形４１を有する錯視部４０が形成される。ここでは、錯視部４０は、吸収性物品２の後方の部分３１における表面シート４に設けられ、錯視図形４１は装着者に視認可能なように表面シート４の肌側の表面に描画されている。ただし、錯視部４０（錯視図形４１）は、装着者に視認可能であれば、表面シート４の非肌側の表面、吸収体３の肌側の表面、及び裏面シート５の非肌側の表面のいずれかに描かれていてもよい。あるいは、錯視部４０（錯視図形４１）は、表面シート４と吸収体３との間に補助シートが配置されている場合には補助シートの肌側又は非肌側の表面に描かれていてもよい。
【００３９】  図３、図４の錯視図形４１は、フレーザー・ウィルコックス錯視図形である。フレーザー・ウィルコックス錯視とは、暗から明への輝度勾配（連続的又は不連続的）を有する図形を、輝度勾配に沿って繰り返し描くことで、その図形が勾配の方向に動いて見えるという錯視であり、静止しているものが動いて見える動きの錯視の一種である。図３の例では、長手方向Ｌに沿って不連続的な輝度勾配（例示：４段階）を有するパターンを、長手方向Ｌに沿って繰り返すように並べた錯視図形４１が描かれている。したがって、錯視図形４１、すなわち後方の部分３１が長手方向Ｌに動くように見え、それにより実質的には長手方向Ｌに伸長・伸縮するよう見える。図４の例では、長手方向Ｌに沿って不連続的な輝度勾配を有するパターンを、長手方向Ｌに沿って繰り返すように並べ、かつ、幅方向Ｗに互いに隣接するパターンの輝度勾配が互いにずれるように並べた錯視図形４１が描かれている。したがって、錯視図形４１、すなわち後方の部分３１が長手方向Ｌにより動くように見え、それにより実質的には長手方向Ｌにより伸長・伸縮するよう見える。
【００４０】  このように、本実施の形態では、後方の部分３１が長手方向Ｌに伸長・伸縮するように視認可能な錯視図形４１を（錯視部４０の）後方の部分３１に配置している。そのため、使用者は、後方の部分３１を見ることにより、後方の部分３１が伸長する機能を有することを直感的に認識できる。それにより、使用者は、その機能に基づいて、試行錯誤をせずとも、後方の部分３１を伸長させないように取り扱いながら吸収性物品２を装着すること、すなわち吸収性物品２を適切に装着することが可能となる。このように本発明によれば、吸収性物品２に描画された図形を見ただけで、その図形を付された部分が有する機能を適切に理解でき、吸収性物品２を適切に装着することが可能な吸収性物品を提供できる。
【００４１】  次に、本実施の形態に係る吸収性物品２の製造方法の一例について説明する。  まず、積繊装置の回転ドラムが回転され、材料供給器から供給された積繊材料が、回転ドラムの外周面に設置されたパターンプレートにおける負圧室に連通した溝内に堆積される。それにより、パターンプレートの溝内に、複数の吸収体本体部３ｍが連結した形状を有する積繊体が形成される。このとき、パターンプレートの溝の形状により、例えば坪量が全面で概ね均一な積繊体や、坪量が多い領域を部分的に有する積繊体が形成される。次いで、形成された溝内の積繊体がパターンプレートと共に正圧室に到達すると、積繊体がパターンプレートから離脱され、吸収体連続体として搬送方向に搬送される。次いで、吸収体連続体が搬送方に搬送されつつ、アンビルロールとカットロールとに挟まれることにより、吸収体連続体における吸収体本体部３ｍの後方の部分３ｍｂに対応する領域に、複数の切れ目３Ｓが形成される。次いで、複数の切れ目３Ｓを有する吸収体連続体は、キャリアシート３ｎが搬送方向に連続した連続キャリアシートに貼り付けられる。次いで、連続キャリアシート付き吸収体連続体は、搬送方向に搬送されつつ、アンビルロールとカットロールとに挟まれることにより、個々のキャリアシート３ｎ付き吸収体本体部３ｍ、すなわち吸収体３となる。次いで、表面シート４が搬送方向に連続した連続表面シートが搬送方向に搬送されつつ、その連続表面シート上に個々の吸収体３が所定の間隔で載置され、連続表面シートと吸収体３とが接合される。次いで、連続表面シート付き吸収体が搬送方向に搬送されつつ、アンビルロールとエンボスロールとに挟まれることにより（エンボス加工）、圧搾部２６が形成される。次いで、裏面シート５が搬送方向に連続した連続裏面シートが搬送方向に搬送されつつ、連続表面シート付き吸収体と接合されて、続いて吸収性物品２の形状に切り出される。その後、吸収性物品２の表面シート４の後方の部分４ｂの表面にインクジェットプリンタで錯視図形４１が印刷されることにより、錯視部４０が形成される。以上のようにして、吸収性物品２が形成される。
【００４２】  ただし、錯視図形４１を描画する方法は、上記インクジェットプリント技術に限定されるものでは無く、公知の他の印刷技術（例示：スクリーンプリント技術）を用いて描画してもよい。
【００４３】  本実施の形態の吸収性物品２では、錯視図形４１が表面シート４の肌側の表面に描画されるので、使用者は、表面シート４側から、すなわち吸収性物品２を装着するときに見易い肌側から錯視図形４１を直接に確認することができる。そのため、使用者は、吸収性物品２の伸び縮みする機能をより容易に想起でき、及び、その機能を有する後方部分をより容易に把握することができる。
【００４４】  なお、錯視部４０は補助シートに設けられていてもよい。例えば、錯視図形４１は補助シートの吸収体３側の表面にインクジェットプリンタで印刷することにより描画される。それにより、使用者は、表面シート４側から、すなわち吸収性物品２を装着するときに見易い肌側から錯視図形４１を確認することができる。そのため、使用者は、伸び縮みする機能を容易に想起でき、及び、その機能を有する後方部分を容易に把握することができる。また、一般に表面シート４よりも繊維密度が高い補助シートに錯視図形４１を描画できるので、錯視図形４１をより明確に描くことができ、使用者に分かり易く視認させることができる。
【００４５】  あるいは、錯視部４０は裏面シート５に設けられていてもよい。例えば、錯視図形４１は裏面シート５の非肌側の表面にインクジェットプリンタで印刷することにより描画される。それにより、使用者は、裏面シート５側から錯視図形４１を直接に確認することができる。そのため、使用者は、包装状態の裏面シート５が表の側に向いている状態においても、伸び縮みする機能を容易に想起でき、及び、その機能を有する後方部分を容易に把握することができる。
【００４６】  本実施の形態において、伸長性という機能が付与された後方の部分３０の錯視部４０は、図３や図４の例に限定されず、他の形態を有してもよい。以下、錯視部４０の他の形態について説明する。図５は、吸収性物品２における錯視部４０の他の例を示す図である。
【００４７】  図５の錯視図形４１ａは、幾何学的錯視の傾き錯視のＹ接合部の錯視を適用した図形である。幾何学的錯視とは、物の大きさ（長さ、広さ）、方向、角度、形などの平面図形の性質が周囲の線や形などの関係のもとで実際とは違って見えるという錯視である。Ｙ接合部の錯視（の波の錯視）とは、濃い色と薄い色の市松模様の角に白と黒の星型を交互に置き、一部の領域でそのパターンを裏返すと、領域と背景が分離して、別々に動いているように見える錯視である。この図の例では、錯視図形４１ａのうち、長手方向中心線ＣＬに対して幅方向Ｗの右側の領域が、波打って動いているように見え、実質的には当該方向に伸縮するよう見える。一方、錯視図形４１ａのうち、長手方向中心線ＣＬに対して幅方向Ｗの左側の領域が、波打って動いているように見え、実質的には当該方向に伸縮するよう見える。したがって両者を合わせると、後方の部分３１は全体として、実質的には長手方向Ｌに伸縮するよう見える。
【００４８】  このように、本実施の形態において、後方の部分３１が長手方向Ｌに伸長するように視認可能な錯視図形４１ａを（錯視部４０の）後方の部分３１に配置している。そのため、使用者は、後方の部分３１を見ることにより、後方の部分３１が伸長する機能を有することを直感的に認識できる。それにより、使用者は、その機能に基づいて、試行錯誤をせずとも、後方の部分３１を伸長させないように取り扱いながら吸収性物品２を適切に装着することが可能となる。
【００４９】  本実施の形態において、伸長性という機能が付与された後方の部分３０の錯視部４０の更に他の形態について説明する。図６は、吸収性物品２における錯視部４０の更に他の例を示す図である。
【００５０】  図６の錯視図形４１ｂは、ものに奥行きがあるように見える錯視である遠近法を適用した図形である。遠近法とは、自然の物象を眼に見えるのと同じような距離感で画面に描写する方法であり、すなわち三次元の形状を二次元の図面で表現する方法であり、したがって二次元の図形が三次元の形状に見える錯視である。この図の例では、錯視図形４１ｂは、零点透視投影を用いて、厚さ方向Ｔの手前側に膨らんだ領域と奥側に窪んだ領域とが長手方向Ｌに沿って交互に連続的に並んだ波状又は網目状の三次元の形状を描いた二次元の図形である。その結果、後方の部分３１が、波打っているように見える。それゆえ、後方の部分３１は実質的には長手方向Ｌに伸縮するよう見える。
【００５１】  このように、本実施の形態において、後方の部分３１が長手方向Ｌに伸長するように視認可能な錯視図形４１ｂを（錯視部４０の）後方の部分３１に配置している。そのため、使用者は、後方の部分３１を見ることにより、後方の部分３１が伸長する機能を有することを直感的に認識できる。それにより、使用者は、その機能に基づいて、試行錯誤をせずとも、後方の部分３１を伸長させないように取り扱いながら吸収性物品２を適切に装着することが可能となる。
【００５２】  本実施の形態において、伸長性という機能が付与された後方の部分３０の錯視部４０の更に他の形態について説明する。図７は、吸収性物品２における錯視部４０の更に他の例を示す図である。
【００５３】  図７の錯視図形４１ｃも、図６の錯視図形４１ｂと同様に遠近法を適用した図形である。この図の例では、錯視図形４１ｃは、二点透視投影を用いて、厚さ方向Ｔの奥側に位置する直方体と手前側に位置する直方体とが長手方向Ｌに沿って交互に連続的に配列された三次元の形状を描いた二次元の図形である。その結果、後方の部分３１が、長手方向Ｌに沿って部分的に膨らみ、波打っているように見える。それゆえ、後方の部分３１は実質的には長手方向Ｌに伸長するよう見える。
【００５４】  このように、本実施の形態において、後方の部分３１が長手方向Ｌに伸長するように視認可能な錯視図形４１ｃを（錯視部４０の）後方の部分３１に配置している。そのため、使用者は、後方の部分３１を見ることにより、後方の部分３１が伸長する機能を有することを直感的に認識できる。それにより、使用者は、その機能に基づいて、試行錯誤をせずとも、後方の部分３１を伸長させないように取り扱いながら吸収性物品２を適切に装着することが可能となる。なお、図７の例では直方体が描かれているが他の立体（例示：多面体、球、楕円体）であってもよい。
【００５５】  本実施の形態において、錯視部の錯視図形は上記の例に限定されるものではなく、他の錯視図形であってもよい。例えば、錯視図形は、少なくとも一種類のパターン要素（例示：点、線、円、楕円、多角形、星形、花形、葉形、ハート形、立体形）が幅方向Ｗに並んで構成されるパターンを長手方向Ｌに沿って複数個備えている。その複数個のパターンは、長手方向Ｌに沿って徐々に変形している。以下、図８〜図１４を参照して説明する。
【００５６】  図８は、吸収性物品２における錯視部４０の更に他の例を示す図である。図８の例では、錯視図形４１ｄは、パターン要素である球が幅方向Ｗに沿って並んで構成される球パターンを長手方向Ｌに沿って複数個備えている。その複数個の球パターンの大きさは、長手方向Ｌに沿って、徐々に大きくなり又は小さくなっている。言い換えると、各球パターンの球は、長手方向Ｌに沿って、途中まで徐々に大きくなり、途中から徐々に小さくなっている。その結果、後方の部分３１が、長手方向Ｌに沿って周期的に大きくなったり小さくなったりして、波打っているように見える。それゆえ、後方の部分３１は実質的には長手方向Ｌに伸長するよう見える。
【００５７】  図９は、吸収性物品２における錯視部４０の更に他の例を示す図である。図９の例では、錯視図形４１ｅは、パターン要素である菱形が幅方向Ｗに沿って並んで構成される菱形パターンを長手方向Ｌに沿って複数個備えている。その複数個の菱形パターンの長手方向Ｌの寸法は、長手方向Ｌに沿って、徐々に大きくなっている。更に本実施の形態では、その複数個の菱形パターン同士の長手方向Ｌの間隔は、長手方向Ｌに沿って、徐々に大きくなっている。その結果、後方の部分３１が、長手方向Ｌに沿って部分的に膨らみ、波打っているように見える。それゆえ、後方の部分３１は実質的には長手方向Ｌに伸長するよう見える。  なお、図９の例では、長手方向Ｌに隣り合う菱形パターンは、菱形が互いに幅方向Ｗにずれるように配置されるが、菱形が互いに幅方向Ｗにずれないように配置されてもよい。また、図９の例では、複数個の菱形パターンの長手方向Ｌの寸法が徐々に大きくなるが、複数個の菱形パターンの幅方向Ｗの寸法が徐々に大きくなってもよい。また、図９の例では、複数個の菱形パターンの寸法が徐々に大きくなるが、複数個の菱形パターンの寸法が徐々に小さくなってもよい。
【００５８】  図１０は、吸収性物品２における錯視部４０の更に他の例を示す図である。図１０の例では、錯視図形４１ｆは、パターン要素である帯が幅方向Ｗに沿って延びて構成される帯パターンを長手方向Ｌに沿って複数個備えている。その複数個の帯パターンの長手方向Ｌの寸法（幅）は、長手方向Ｌに沿って、小さい寸法から徐々に大きな寸法になる周期を繰り返している。更に本実施の形態では、その複数個の帯パターン同士の長手方向Ｌの間隔は、長手方向Ｌに沿って、小さい寸法から徐々に大きな寸法になる周期を繰り返している。その結果、後方の部分３１が周期的に膨らみ、波打っているように見える。それゆえ、後方の部分３１は実質的には長手方向Ｌに伸長するよう見える。  なお、図１０の例では、複数個の帯パターンの長手方向Ｌの寸法が小さい寸法から徐々に大きな寸法になる周期を繰り返すが、大きい寸法から徐々に小さな寸法になる周期を繰り返してもよいし、小さい寸法から大きい寸法を経由して小さい寸法になる周期を繰り返してもよいし、大きい寸法から小さい寸法を経由して大きい寸法になる周期を繰り返してもよい。
【００５９】  図１１は、吸収性物品２における錯視部４０の更に他の例を示す図である。図１１の例では、錯視図形４１ｇは、パターン要素であるハートが幅方向Ｗに沿って波状に並んで構成される波状ハートパターンを長手方向Ｌに沿って複数個備えている。その複数個の波状ハートパターン同士の長手方向Ｌの間隔は、長手方向Ｌに沿って、徐々に広くなっている。その結果、後方の部分３１が、長手方向Ｌに沿って部分的に膨らみ、波打っているように見える。それゆえ、後方の部分３１は実質的には長手方向Ｌに伸長するよう見える。
【００６０】  図１２は、吸収性物品２における錯視部４０の更に他の例を示す図である。図１２の例では、錯視図形４１ｈは、パターン要素であるハートが幅方向Ｗに沿って並んで構成されるハートパターンが長手方向Ｌに沿って複数個備えている。その複数個のハートパターンの幅方向Ｗの位置は長手方向Ｌに沿って徐々に変化しており、ハートは長手方向Ｌに沿って波状に並んでいるように見える。その結果、後方の部分３１が、幅方向Ｗに波打っており、長手方向Ｌに進行するように見える。それゆえ、後方の部分３１は実質的には長手方向Ｌに伸長するよう見える。
【００６１】  図１３は、吸収性物品２における錯視部４０の更に他の例を示す図である。図１３の例では、錯視図形４１ｉは、パターン要素であるバネ状の螺旋が幅方向Ｗに沿って並んで構成されるバネパターンが長手方向Ｌに沿って描かれている。ここで、バネパターンのバネが伸縮する方向は、長手方向Ｌに対応している。その結果、後方の部分３１が実質的には長手方向Ｌに伸縮するよう見える。
【００６２】  このように、本実施の形態において、後方の部分３１が長手方向Ｌに伸長するように視認可能な錯視図形４１ｄ〜４１ｉを（錯視部４０の）後方の部分３１に配置している。そのため、使用者は、後方の部分３１を見ることにより、後方の部分３１が伸長する機能を有することを直感的に認識できる。それにより、使用者は、その機能に基づいて、試行錯誤をせずとも、後方の部分３１を伸長させないように取り扱いながら吸収性物品２を適切に装着することが可能となる。なお、上記の各例において、パターン要素の形状は特定の形状に限定されるものでは無く、例えば点、線、円、楕円、多角形、星形、花形、葉形、ハート形、立体形、多面体など、種々の図形を用いることができる。
【００６３】  次に、吸収性物品２にける他の実施の形態について説明する。  本実施の形態では、吸収性物品２は、排泄口当接域ＳＴＡに、高い吸収性能という機能が付与されている。そして、上記の吸収性物品２における、高い吸収性能という機能が付与された排泄口当接域ＳＴＡに、錯視部４０が形成される。ここで排泄口当接域ＳＴＡの吸収性能を高くする方法としては、吸収体本体部３ｍの排泄口当接域ＳＴＡの繊維や吸収性ポリマの密度や坪量を、その周辺領域と比較して高くする、すなわち嵩高くする方法が挙げられる。図１４は、吸収性物品２における錯視部４０の更に他の例を示す図である。
【００６４】  図１４の錯視図形４１ｊは、クレーター錯視図形である。クレーター錯視とは、ある対象の上端が明るく下端が暗いときには、その対象は出っ張って見えるという錯視である。この図の例では、排泄口当接域ＳＴＡの高い吸収性能を有する部分が楕円形で表示され、その楕円形の長手方向Ｌの前方が明るく、後方が暗く描かれている。この場合、使用者が吸収性物品２を装着しつつその吸収性物品２を見るとき、楕円形の長手方向Ｌの前方を上端、後方を下端として見ることになる。したがって、錯視図形４１ｊの楕円形は厚さ方向Ｔに出っ張って見え、実質的には嵩が高く見える。
【００６５】  このように、本実施の形態では、楕円形が厚さ方向Ｔに出っ張り、嵩が高く見えるように視認可能な錯視図形４１ｊを排泄口当接域ＳＴＡに配置している。そのため、使用者は、後方の部分３１を見ることにより、排泄口当接域ＳＴＡが嵩高いことを直感的に認識できる。それにより、使用者は、その機能に基づいて、試行錯誤をせずとも、排泄口当接域ＳＴＡを排泄口に当接させるように取り扱いながら吸収性物品２を装着すること、すなわち吸収性物品２を適切に装着することが可能となる。  なお、図１４の例では、錯視図形４１ｊとしてクレーター錯視図形を用いて、排泄口当接域ＳＴＡが嵩高く見えるようにしているが、例えば幾何学的錯視の傾き錯視の彎曲錯視の膨らみの錯視を用いてもよい。傾き錯視とは、ある線に別の線が交差するとき、それらの交差角のうちの鋭角側を過大視する方向に線が傾いて見える錯視であり、ツェルナー錯視やフレーザー錯視に例示される。彎曲錯視とは、右に傾いて見える傾き錯視と左に傾いて見える傾き錯視を合せたとき、滑らかに彎曲した線が知覚される錯視であり、へング錯視に例示される。膨らみの錯視とは、その彎曲する線を二次元にしたときに奥行方向にも曲がった印象を受け、膨らんだように見える錯視であり、市松模様錯視とずれた線の錯視とを組み合わせた二次元彎曲錯視である。
【００６６】＜繊維シートの引張伸度（破断伸度）＞（１）測定対象の吸収性物品２の資材における測定すべき部分を、１５０ｍｍ×２５ｍｍ（長手方向×幅方向）のサイズにカットし、測定試料とする。（２）最大荷重容量が５０Ｎであるロードセルを備えた引張試験機（島津製作所（株）製、オートグラフ、型式ＡＧＳ−１ｋＮＧ）を使用して、三つの測定試料それぞれにつき、１００ｍｍのチャック間距離、１００ｍｍ／分の引張速度の条件で引張伸度を測定する。（３）三つの測定試料の引張伸度の平均値を最終的な引張伸度として算出する。
【符号の説明】
【００６７】    ２    吸収性物品    ３    吸収体    ４    表面シート    ５    裏面シート    ４０    錯視部    ４１    錯視図形
【図１】
0006707145.tif 000002
【図２】
0006707145.tif 000003
【図３】
0006707145.tif 000004
【図４】
0006707145.tif 000005
【図５】
0006707145.tif 000006
【図６】
0006707145.tif 000007
【図７】
0006707145.tif 000008
【図８】
0006707145.tif 000009
【図９】
0006707145.tif 000010
【図１０】
0006707145.tif 000011
【図１１】
0006707145.tif 000012
【図１２】
0006707145.tif 000013
【図１３】
0006707145.tif 000014
【図１４】
0006707145.tif 000015